(57)【特許請求の範囲】
【請求項１】
パルス波形の入力信号をサンプル、ホールドしてホールド値を出力する自動サンプルホールド装置において、
前記パルス波形の入力信号が存在する期間のみクロックパルスを繰り返し発生するクロックパルス発生部（４Ａ）と、
前記クロックパルスを基準にしてサンプル指令とホールド指令とが交互に切り替わる信号からなる第１及び第２の切替え信号を、各切替え信号のホールド指令と次に発生する切替え信号のホールド指令とが並ぶようにして順次発生する切替え信号発生回路（６）と、
前記第１及び第２の切替え信号が順次入力されて、入力された切替え信号のサンプル指令が発生している期間前記入力信号をサンプルし、入力された切替え信号のホールド指令が発生している期間サンプルした入力信号のレベルをホールドする第１及び第２のサンプルホールド回路（７Ａ及び７Ｂ）と、
前記第１のサンプルホールド回路（７Ａ）及び第２のサンプルホールド回路（７Ｂ）がホールドした信号のレベルを選択して出力するとともに、前記第１のサンプルホールド回路（７Ａ）及び第２のサンプルホールド回路（７Ｂ）がそれぞれホールドしている信号のレベルのうち、前記入力信号の立ち下がりの直前にホールドされたレベルを前記入力信号が立ち下がった後も出力し続ける出力回路（８）と、
とを備えてなる自動サンプルホールド装置。
【請求項２】
パルス波形の入力信号をサンプルし、ホールドしてホールド値を出力する自動サンプルホールド装置において、
前記パルス波形の入力信号が存在する期間のみクロックパルスを繰り返し発生するクロックパルス発生部（４Ａ）と、
前記クロックパルスを基準にしてサンプル指令とホールド指令とが交互に切り替わる信号からなる第１ないし第Ｎの切替え信号を、各切替え信号がホールド指令を発生する期間よりもサンプル指令を発生する期間の方を長くし、かつ各切替え信号のホールド指令と次に発生する切替え信号のホールド指令とが並ぶようにして順次発生する切替え信号発生回路（６）と、
前記第１ないし第Ｎの切替え信号が順次入力されて、入力された切替え信号のサンプル指令が発生している期間前記入力信号をサンプルし、入力された切替え信号のホールド指令が発生している期間サンプルした入力信号のレベルをホールドする第１ないし第Ｎのサンプルホールド回路（７Ａ〜７Ｎ）と、
前記第１ないし第Ｎのサンプルホールド回路がそれぞれホールドした信号のレベルを選択して出力するとともに、Ｎ個のサンプルホールド回路がそれぞれホールドしている信号のレベルの内、前記入力信号の立ち下がりの直前にホールドされたレベルを前記入力信号が立ち下がった後も出力し続ける出力回路（８）と、
を備えてなる自動サンプルホールド装置。
【請求項３】
高周波信号を出力する高周波発振器と、前記高周波信号をパルス入力に従ってパルス変調してパルス変調高周波信号を形成するパルス変調器と、前記パルス変調高周波信号を増幅して出力する電力増幅器と、増幅されたパルス変調高周波信号の一部を検波してパルス波形の信号を形成する検波器と、前記パルス波形の信号をサンプルホールドしてサンプルホールド信号を出力する自動サンプルホールド装置と、前記サンプルホールド信号と基準値と比較して前記パルス変調高周波信号の出力レベルが一定になるような利得制御信号を前記電力増幅器に与える比較増幅器とを備えたパルス変調高周波信号発生装置において、
前記自動サンプルホールド装置は、
前記パルス波形の信号が存在する期間のみクロックパルスを繰り返し発生するクロックパルス発生部（４Ａ）と、
前記クロックパルスを基準にしてサンプル指令とホールド指令とが交互に切り替わる信号からなる第１及び第２の切替え信号を、各切替え信号のホールド指令と次に発生する切替え信号のホールド指令とが並ぶようにして順次発生する切替え信号発生回路（６）と、
前記第１及び第２の切替え信号が順次入力されて、入力された切替え信号のサンプル指令が発生している期間前記パルス波形の信号をサンプルし、入力された切替え信号のホールド指令が発生している期間サンプルした信号のレベルをホールドする第１及び第２のサンプルホールド回路（７Ａ及び７Ｂ）と、
前記第１のサンプルホールド回路（７Ａ）及び第２のサンプルホールド回路（７Ｂ）がホールドした信号のレベルを選択して出力するとともに、前記第１のサンプルホールド回路（７Ａ）及び第２のサンプルホールド回路（７Ｂ）がそれぞれホールドしている信号のレベルのうち、前記パルス波形の信号の立ち下がりの直前にホールドされたレベルを前記入力信号が立ち下がった後も出力し続ける出力回路（８）と、
を備えていることを特徴とするパルス変調高周波信号発生装置。
【請求項４】
高周波信号を出力する高周波発振器と、前記高周波信号をパルス入力に従ってパルス変調してパルス変調高周波信号を形成するパルス変調器と、前記パルス変調高周波信号を増幅して出力する電力増幅器と、増幅されたパルス変調高周波信号の一部を検波してパルス波形の信号を形成する検波器と、前記パルス波形の信号をサンプルホールドしてサンプルホールド信号を出力する自動サンプルホールド装置と、前記サンプルホールド信号と基準値と比較して前記パルス変調高周波信号の出力レベルが一定になるような利得制御信号を前記電力増幅器に与える比較増幅器とを備えたパルス変調高周波信号発生装置において、
前記自動サンプルホールド装置は、
前記パルス波形の信号が存在する期間のみクロックパルスを繰り返し発生するクロックパルス発生部（４Ａ）と、
前記クロックパルスを基準にしてサンプル指令とホールド指令とが交互に切り替わる信号からなる第１ないし第Ｎの切替え信号を、各切替え信号がホールド指令を発生する期間よりもサンプル指令を発生する期間の方を長くし、かつ各切替え信号のホールド指令と次に発生する切替え信号のホールド指令とが並ぶようにして順次発生する切替え信号発生回路（６）と、
前記第１ないし第Ｎの切替え信号が順次入力されて、入力された切替え信号のサンプル指令が発生している期間前記パルス波形の信号をサンプルし、入力された切替え信号のホールド指令が発生している期間サンプルした信号のレベルをホールドする第１ないし第Ｎのサンプルホールド回路（７Ａ〜７Ｎ）と、
前記第１ないし第Ｎのサンプルホールド回路がそれぞれホールドした信号のレベルを選択して出力するとともに、Ｎ個のサンプルホールド回路がそれぞれホールドしている信号のレベルの内、前記入力信号の立ち下がりの直前にホールドされたレベルを前記入力信号が立ち下がった後も出力し続ける出力回路（８）と、
を備えていることを特徴とするパルス変調高周波信号発生装置。
【発明の詳細な説明】
【０００１】
【発明の属する技術分野】
本発明は、パルス波のサンプルホールドを行う自動サンプルホールド装置及びパルス変調高周波信号発生装置に関するものである。
【０００２】
【従来の技術】
従来のパルス波のサンプルホールドを行う自動サンプルホールド装置は、パルス波のパルス幅が一定のものであり、このため該パルス波のパルス幅内でその立上がりから一定の時間経過後の振幅をサンプルホールドすることにより、パルスの振幅を検出していた。
【０００３】
【発明が解決しようとする課題】
しかしながら、このような従来の自動サンプルホールド装置では、入力パルス波のパルス幅が変化する場合には、入力パルス波より少し早く立ち下がるサンプルホールド用信号を別途入力させなければならない。この際に、パルス幅が別の要因でどれだけの幅になるか不明の場合がある。このような時、入力パルス波の立ち下がりをいち早く検出し、サンプルホールド回路のアクイジション時間の遅れ時間内に、ホールドに切り換えねばならない。この時、アクイジション時間の短いものを使えば、立ち下がり途中の振幅をサンプルしてしまう危険性があり、アクイジション時間の長いものを使えば、狭いパルス幅の急速な変化に応答できないことになり、いずれも正確な値を得られない問題点がある。
【０００４】
また、パルス変調した高周波信号の出力を安定化するとき、パルス状の検波出力を正確に検出しないと、高周波レベルも正しく安定化されない。特にパルス幅が変化するとき、最小幅より小さいところまでをサンプルする方法を使用していたが、これは必ずしも正しい値とは言えない。
【０００５】
本発明の目的は、パルス幅の変化に追随できるサンプルホールドの切替え信号を得ることにより、パルス波の正しい振幅を検出できる自動サンプルホールド装置を提供することにある。
【０００６】
本発明の他の目的は、パルス幅の変化にも追随してサンプルホールドして高周波出力レベルを一定に保つように制御できるパルス変調高周波信号発生装置を提供することにある。
【０００７】
【課題を解決するための手段】
本発明は、パルス波形の入力信号をサンプルし、ホールドしてホールド値を出力する自動サンプルホールド装置を改良するものである。
【０００８】
請求項１に記載の自動サンプルホールド装置は、パルス波形の入力信号が存在する期間のみクロックパルスを繰り返し発生するクロックパルス発生部と、クロックパルスを基準にしてサンプル指令とホールド指令とが交互に切り替わる信号からなる第１及び第２の切替え信号を、各切替え信号のホールド指令と次に発生する切替え信号のホールド指令とが並ぶようにして順次発生する切替え信号発生回路と、第１及び第２の切替え信号が順次入力されて、入力された切替え信号のサンプル指令が発生している期間入力信号をサンプルし、入力された切替え信号のホールド指令が発生している期間サンプルした入力信号のレベルをホールドする第１及び第２のサンプルホールド回路と、第１のサンプルホールド回路及び第２のサンプルホールド回路がホールドした信号のレベルを選択して出力するとともに、第１のサンプルホールド回路及び第２のサンプルホールド回路がそれぞれホールドしている信号のレベルのうち、入力信号の立ち下がりの直前にホールドされたレベルを入力信号が立ち下がった後も出力し続ける出力回路とを備えてなるものである。
【０００９】
このような自動サンプルホールド装置では、第１及び第２のサンプルホールド回路がパルス波形の入力信号が入力されている間、入力信号を交互にサンプルホールドする動作を繰り返すので、出力回路は入力信号の立ち下がり直前のクロックパルス発生時にホールドしているサンプルホールド回路の出力を入力信号の立ち下がり以後も出力し続けることができる。そのため入力信号のパルス幅が変化してもそのパルス幅の立ち下がり直前にホールドしているサンプルホールド回路の出力を出力させることができ、パルス波の正しい振幅を検出することができる。
【００１０】
また、請求項２に記載の自動サンプルホールド装置は、パルス波形の入力信号が存在する期間のみクロックパルスを繰り返し発生するクロックパルス発生部と、クロックパルスを基準にしてサンプル指令とホールド指令とが交互に切り替わる信号からなる第１ないし第Ｎの切替え信号を、各切替え信号がホールド指令を発生する期間よりもサンプル指令を発生する期間の方を長くし、かつ各切替え信号のホールド指令と次に発生する切替え信号のホールド指令とが並ぶようにして順次発生する切替え信号発生回路と、第１ないし第Ｎの切替え信号が順次入力されて、入力された切替え信号のサンプル指令が発生している期間入力信号をサンプルし、入力された切替え信号のホールド指令が発生している期間サンプルした入力信号のレベルをホールドする第１ないし第Ｎのサンプルホールド回路と、第１ないし第Ｎのサンプルホールド回路がそれぞれホールドした信号のレベルを選択して出力するとともに、Ｎ個のサンプルホールド回路がそれぞれホールドしている信号のレベルの内、入力信号の立ち下がりの直前にホールドされたレベルを入力信号が立ち下がった後も出力し続ける出力回路とを備えてなるものである。
【００１１】
このような自動サンプルホールド装置では、Ｎ個のサンプルホールド回路が入力信号のパルス幅が入力されている間、入力信号のパルス波をそれぞれサンプルホールドする動作を繰り返すので、出力回路は入力信号の立ち下がり直前のクロックパルス時にホールドしているサンプルホールド回路の出力を入力信号の立ち下がり以後も出力し続けることができる。そのため入力信号のパルス幅が変化してもそのパルス幅の立ち下がり直前にホールドしているサンプルホールド回路の出力を出力させることができ、パルス波の正しい振幅を検出することができる。特に、切替え信号はサンプル指令の時間の方がホールド指令の時間より長いので、長いサンプル指令時間を利用して十分に立ち上がった電圧値をホールドすることができる。
【００１２】
次に、本発明は、高周波信号を出力する高周波発振器と、高周波信号をパルス入力に従ってパルス変調してパルス変調高周波信号を形成するパルス変調器と、パルス変調高周波信号を増幅して出力する電力増幅器と、増幅されたパルス変調高周波信号の一部を検波してパルス波形の信号を形成する検波器と、パルス波形の信号をサンプルホールドしてサンプルホールド信号を出力する自動サンプルホールド装置と、サンプルホールド信号と基準値と比較してパルス変調高周波信号の出力レベルが一定になるような利得制御信号を電力増幅器に与える比較増幅器とを備えたパルス変調高周波信号発生装置を改良するものである。
【００１３】
請求項３に記載のパルス変調高周波信号発生装置では、自動サンプルホールド装置が、パルス波形の信号が存在する期間のみクロックパルスを繰り返し発生するクロックパルス発生部と、クロックパルスを基準にしてサンプル指令とホールド指令とが交互に切り替わる信号からなる第１及び第２の切替え信号を、各切替え信号のホールド指令と次に発生する切替え信号のホールド指令とが並ぶようにして順次発生する切替え信号発生回路と、第１及び第２の切替え信号が順次入力されて、入力された切替え信号のサンプル指令が発生している期間パルス波形の信号をサンプルし、入力された切替え信号のホールド指令が発生している期間サンプルした信号のレベルをホールドする第１及び第２のサンプルホールド回路と、第１のサンプルホールド回路及び第２のサンプルホールド回路がホールドした信号のレベルを選択して出力するとともに、第１のサンプルホールド回路及び第２のサンプルホールド回路がそれぞれホールドしている信号のレベルのうち、パルス波形の信号の立ち下がりの直前にホールドされたレベルを入力信号が立ち下がった後も出力し続ける出力回路とを備えていることを特徴とする。
【００１４】
このようなパルス変調高周波信号発生装置では、自動サンプルホールド装置の２個のサンプルホールド回路が入力信号のパルス幅が入力されている間、入力信号のパルス波を交互にサンプルホールドする動作を繰り返し、出力回路が入力信号の立ち下がり直前のクロックパルス時にホールドしているサンプルホールド回路の出力を入力信号の立ち下がり以後も出力し続けるので、入力信号のパルス幅が変化してもそのパルス幅の立ち下がり直前にホールドしているサンプルホールド回路の出力を出力させることができて、パルス幅が変わってもパルス波の正しい振幅を検出することができ、高周波出力レベルを一定に保つように制御することができる。
【００１５】
請求項４に記載のパルス変調高周波信号発生装置では、自動サンプルホールド装置が、パルス波形の信号が存在する期間のみクロックパルスを繰り返し発生するクロックパルス発生部と、クロックパルスを基準にしてサンプル指令とホールド指令とが交互に切り替わる信号からなる第１ないし第Ｎの切替え信号を、各切替え信号がホールド指令を発生する期間よりもサンプル指令を発生する期間の方を長くし、かつ各切替え信号のホールド指令と次に発生する切替え信号のホールド指令とが並ぶようにして順次発生する切替え信号発生回路と、第１ないし第Ｎの切替え信号が順次入力されて、入力された切替え信号のサンプル指令が発生している期間パルス波形の信号をサンプルし、入力された切替え信号のホールド指令が発生している期間サンプルした信号のレベルをホールドする第１ないし第Ｎのサンプルホールド回路と、第１ないし第Ｎのサンプルホールド回路がそれぞれホールドした信号のレベルを選択して出力するとともに、Ｎ個のサンプルホールド回路がそれぞれホールドしている信号のレベルの内、入力信号の立ち下がりの直前にホールドされたレベルを入力信号が立ち下がった後も出力し続ける出力回路とを備えていることを特徴とする。
【００１６】
このようなパルス変調高周波信号発生装置では、自動サンプルホールド装置のＮ個のサンプルホールド回路が入力信号のパルス幅が入力されている間、入力信号のパルス波をそれぞれサンプルホールドする動作を繰り返し、出力回路が入力信号の立ち下がり直前のクロックパルス時にホールドしているサンプルホールド回路の出力を入力信号の立ち下がり以後も出力し続けるので、入力信号のパルス幅が変化してもそのパルス幅の立ち下がり直前にホールドしているサンプルホールド回路の出力を出力させることができ、パルス幅が変わってもパルス波の正しい振幅を検出することができ、高周波出力レベルを一定に保つように制御することができる。特に、切替え信号はサンプル指令時間の方がホールド指令時間より長いので、長いサンプル指令時間を利用して十分に立ち上がった電圧値をホールドすることができる。
【００１７】
【発明の実施の形態】
図１は本発明に係る自動サンプルホールド装置の実施の形態の第１例を示したものである。
【００１８】
この自動サンプルホールド装置は、入力信号が入力される入力端子１と、該入力端子１に入力された入力信号のパルス波が基準電源２の基準電圧を越えている期間パルス状の出力を発生して入力信号のパルス幅を検出するコンパレータよりなるパルス幅検出回路３と、クロックパルスを出力するクロックパルス発生器４と、パルス幅検出回路３の出力とクロックパルス発生器４の出力が共に出されている期間パルスを出力するアンド回路５と、アンド回路５の出力がクロック端子に入力されると換言すればパルス幅検出回路３から入力信号のパルス幅が検出されている間クロックパルスがクロック端子に入力されると該クロックパルスを基準にして同じ時間幅でサンプル指令とホールド指令とが交互に切り替わる第１及び第２の切替え信号を、次の切替え信号では前の切替え信号のホールド指令に次のホールド指令が並ぶようにして順次出力するフリップフロップ回路よりなる切替え信号発生回路６と、該切替え信号発生回路６から切替え信号が順次印加されると入力信号を交互にサンプルホールドして出力する第１及び第２のサンプルホールド回路７Ａ及び７Ｂと、これら２個のサンプルホールド回路７Ａ，７Ｂがサンプルホールドしている出力を選択して出力すると共に入力信号のパルス幅の立ち下がり直前にサンプルホールドしているサンプルホールド回路７Ａまたは７Ｂのサンプルホールド出力を入力信号のパルス幅の立ち下がり以後も出力し続ける半導体スイッチよりなる出力回路８とを備えた構造になっている。
【００１９】
この自動サンプルホールド装置においては、入力端子１に入力信号のパルス波が入力されると、このパルス波はコンパレータよりなるパルス幅検出回路３にて基準電源２の基準電圧と比較され基準電圧を越えている期間図２（Ａ）に示すようにパルス状の出力Ｐを発生する。一方、クロックパルス発生器４は、図２（Ｂ）に示すようなクロックパルスＣを発生する。このクロックパルスＣはアンド回路５に入力され、パルス状の出力Ｐが入力されている期間該アンド回路５からクロックパルスＣと同じ間隔でパルスが出力され、フリップフロップ回路よりなる切替え信号発生回路６のクロック端子に入力される。切替え信号発生回路６はクロックパルスを基準にして同じ時間間隔でサンプル指令とホールド指令とが切替わる第１及び第２の切替え信号を、次の切替え信号では前の切替え信号のホールド指令に次のホールド指令が並ぶようにして２つの出力端子から順次発生する。これら第１及び第２の切替え信号は第１及び第２のサンプルホールド回路７Ａ及び７Ｂに順次印加され、これらサンプルホールド回路７Ａ，７Ｂは、切替え信号が印加されると入力信号をサンプルし、ホールドして出力する。半導体スイッチよりなる出力回路８は、２個のサンプルホールド回路７Ａ，７Ｂがサンプルホールドしている出力を選択して出力すると共に入力信号のパルス幅の立ち下がり直前にサンプルホールドしているサンプルホールド回路７Ａまたは７Ｂのサンプルホールド出力を入力信号のパルス幅の立ち下がり以後も出力し続ける。出力回路８の出力で制御される次段の回路は、時間幅が長い、入力信号のパルス幅の立ち下がり直前にホールドしているホールド出力により制御される。
【００２０】
このため、この自動サンプルホールド装置によれば、入力信号のパルス幅が変化しても、そのパルス幅の立ち下がり直前にサンプルホールドしてパルス波の正しい振幅を検出することができる。
【００２１】
図３は本発明に係る自動サンプルホールド装置の実施の形態の第２例を示したものである。
【００２２】
この自動サンプルホールド装置においては、切替え信号発生回路６がカウンタで構成され、サンプルホールド回路が第１ないし第Ｎの（Ｎ個の）サンプルホールド回路７Ａ〜７Ｎで構成されている。切替え信号発生回路６は、パルス幅検出回路３から入力信号のパルス幅が検出されている間クロックパルスＣを基準にして図４（Ｄ）に示すようなサンプル指令Ｓとホールド指令Ｈとを、サンプル指令の時間の方がホールド指令の時間より長くなるようにして交互に切り替わる第１ないし第Ｎの切替え信号を、次の切替え信号では前の切替え信号のホールド指令Ｈに次のホールド指令Ｈが並ぶようにして順次出力するようになっている。これら第１ないし第Ｎの切替え信号が第１ないし第Ｎのサンプルホールド回路７Ａ〜７Ｎに順次印加されるようになっている。その他の構成は、図１に示す第１例の自動サンプルホールド装置と同様に構成されている。
【００２３】
この第２例の自動サンプルホールド装置の動作を、図４（Ａ）〜（Ｆ）を参照して説明する。この図４では、サンプルホールド回路が４個の場合で示している。  図４（Ａ）は時間目盛りを示している。この時間目盛りの１目盛りは、例えば１μｓ程度の時間幅である。
【００２４】
図４（Ｂ）は入力信号のパルス波形を示している。
【００２５】
図４（Ｃ）はアンド回路５を通過した出力パルス（クロックパルス）を示している。
【００２６】
図４（Ｄ）は切替え信号発生回路６が、アンド回路５のゲート後の出力パルスを基準にして出力する＃１〜＃４の切替え信号であって、これら切替え信号はサンプル指令Ｓとホールド指令Ｈとが、サンプル指令Ｓの時間の方がホールド指令Ｈの時間より長くなるようにして交互に切り替わり、次の切替え信号では前の切替え信号のホールド指令Ｈに次のホールド指令Ｈが並ぶようにして順次出力されるようになっている。
【００２７】
図４（Ｅ）は＃１〜＃４のサンプルホールド回路７Ａ〜７Ｄのサンプルホールド出力を示している。これら＃１〜＃４のサンプルホールド出力は、図４（Ｄ）に示す対応した＃１〜＃４の切替え信号のホールド指令Ｈ時に一定に出力がホールドされている。ただし、本例では＃３のサンプルホールド回路７Ｃが、図４（Ｂ）に示す入力信号のパルス幅の立ち下がり直前にサンプルホールドしているサンプルホールド出力を該入力信号のパルス幅の立ち下がり以後も出力し続けるようになっている。
【００２８】
図４（Ｆ）は出力回路８の出力を示している。この出力回路８の出力は、＃１〜＃４のサンプルホールド回路７Ａ〜７Ｄがホールドしている出力を順次選択して出力していて、入力信号のパルス幅の立ち下がり直前にサンプルホールドしているサンプルホールド出力が最後に連続して出力されるようになっている。
【００２９】
このため、入力信号のパルス幅が変化しても、そのパルス幅の立ち下がり直前にサンプルホールドしてパルス波の正しい振幅を検出することができる。特に、切替え信号はサンプル指令Ｓの時間の方がホールド指令Ｈの時間より長いので、長いサンプル指令時間Ｓｔを利用して十分に立ち上がった電圧値をホールドして出力することができる。
【００３０】
図１に示す自動サンプルホールド装置との違いは、アクイジション時間の長いサンプルホールド回路７Ａ〜７Ｎを使用しても、高速のクロックパルス発生器４を使用して、より立ち下がりに近い時点の振幅を検出できる点にある。
【００３１】
図５は前述した自動サンプルホールド装置を組み込んだパルス変調高周波信号発生装置の一例を示したものである。
【００３２】
このパルス変調高周波信号発生装置は、高周波信号を出力する高周波発振器９と、該高周波発振器９から出力される高周波信号を入力端子１０からのパルス入力に従ってパルス変調してパルス変調高周波信号を形成するパルス変調器１１と、このパルス変調高周波信号を増幅して出力する電力増幅器１２と、増幅されたパルス変調高周波信号の一部を方向性結合器１３の箇所でフィードバックして検波してパルス波を形成する検波器１４と、該検波器１４から出力されるパルス波をサンプルホールドしてサンプルホールド信号を出力する自動サンプルホールド装置１５と、該自動サンプルホールド装置１５から出力されるサンプルホールド信号と基準値と比較してパルス変調高周波信号の出力レベルが一定になるような利得制御信号を電力増幅器１２に与える比較増幅器１６とを備えた構成になっている。このようなパルス変調高周波信号発生装置では、自動サンプルホールド装置１５として図１に示す自動サンプルホールド装置、或いは図３に示す自動サンプルホールド装置を用いる。
【００３３】
図１に示す自動サンプルホールド装置１５を用いたパルス変調高周波信号発生装置では、２個のサンプルホールド回路７Ａ，７Ｂが入力信号のパルス幅が入力されている間、順次印加される切替え信号でサンプルホールド動作をそれぞれ繰り返し、入力信号のパルス幅の立ち下がり直前にサンプルホールドしているサンプルホールド回路のサンプルホールド出力を出力回路８が最終出力として連続して出力するので、入力信号のパルス幅が変化してもそのパルス幅の立ち下がり直前にサンプルホールドしてパルス波の正しい振幅を検出することができ、パルス幅の変化にも追随してサンプルホールドして高周波出力レベルを一定に保つように制御することができる。
【００３４】
図３に示す自動サンプルホールド装置１５を用いたパルス変調高周波信号発生装置では、Ｎ個のサンプルホールド回路７Ａ〜７Ｎが入力信号のパルス幅が入力されている間、順次印加される切替え信号でサンプルホールド動作を繰り返し、入力信号のパルス幅の立ち下がり直前にサンプルホールドしているサンプルホールド回路のサンプルホールド出力を出力回路８が最終出力として連続して出力するので、パルス幅が変化してもそのパルス幅の立ち下がり直前にサンプルホールドしてパルス波の正しい振幅を検出することができ、パルス幅の変化にも追随してサンプルホールドして高周波出力レベルを一定に保つように制御することができる。特に、切替え信号はサンプル指令の時間の方がホールド指令の時間より長いので、長いサンプル指令の時間を利用して十分に立ち上がった電圧値をホールドすることができる。
【００３５】
このパルス変調高周波信号発生装置では、自動サンプルホールド装置１５の出力を出力電力監視用出力として利用することもできる。
【００３６】
上記例では、出力回路８は各サンプルホールド回路のホールド時の出力を順次出力し、最後に入力信号のパルス幅の立ち下がり直前にサンプルホールドしているサンプルホールド回路のサンプルホールド出力を最終出力として連続して出力する構造になっていたが、各サンプルホールド回路のホールド時の各出力は有効なサンプルホールド出力ではないので、これをカットして入力信号のパルス幅の立ち下がり直前にサンプルホールドしているサンプルホールド回路のサンプルホールド出力のみを出力する構成にすることもできる。
【００３７】
また、図１及び図３では、パルス幅検出回路３とクロックパルス発生器４とアンド回路５とを一体化して、入力信号が存在する期間のみクロックパルスを出力するクロックパルス発生部４Ａを構成することもできる。
【００３８】
【発明の効果】
請求項１に記載の発明によれば、パルス波形の入力信号が入力されている間、２個のサンプルホールド回路が交互に入力信号のパルス波をサンプルホールドする動作を繰り返し、出力回路が、２個のサンプルホールド回路がホールドした信号のレベルを選択して出力するとともに、入力信号の立ち下がり直前のクロックパルス発生時にホールド動作を行なったサンプルホールド回路の出力を、入力信号の立ち下がり以後も出力し続けるようにしたので、入力信号のパルス幅が変化する場合でも、そのパルス幅の立ち下がり直前にホールド動作を行なったサンプルホールド回路の出力を出力させて、パルス波の正しい振幅を検出することができる。
【００３９】
また、請求項２に記載の発明によれば、パルス波形の入力信号が入力されている間、Ｎ個のサンプルホールド回路が入力信号をサンプルホールドする動作を繰り返し、出力回路が、Ｎ個のサンプルホールド回路がそれぞれホールドした信号のレベルを選択して出力するとともに、入力信号の立ち下がり直前のクロックパルス発生時にホールド動作を行なったサンプルホールド回路の出力を入力信号の立ち下がり以後も出力し続けるようにしたので、入力信号のパルス幅が変化する場合でも、そのパルス幅の立ち下がり直前にホールド動作を行なったサンプルホールド回路の出力を出力させて、パルス波の正しい振幅を検出することができる。特に、本発明では、切替え信号のサンプル指令の時間の方がホールド指令の時間より長いので、長いサンプル指令時間を利用して十分に立ち上がった電圧値をホールドすることができる。
【００４０】
請求項３に記載の発明によれば、検波器から自動サンプルホールド装置にパルス波形の信号が入力されている間、自動サンプルホールド装置の２個のサンプルホールド回路が交互に入力信号のパルス波をサンプルホールドする動作を繰り返し、出力回路が、２個のサンプルホールド回路がホールドした信号のレベルを選択して出力するとともに、入力信号の立ち下がり直前のクロックパルス発生時にホールド動作を行なったサンプルホールド回路の出力を入力信号の立ち下がり以後も出力し続けるようにしたので、入力信号のパルス幅が変化する場合でも、そのパルス幅の立ち下がり直前にホールド動作を行なったサンプルホールド回路の出力を出力させることができる。従って、検波器から自動サンプルホールド装置に入力される信号のパルス幅が変わる場合でもパルス波の正しい振幅を検出して、パルス変調高周波信号の出力レベルを一定に保つ制御を行なわせることができる。
【００４１】
請求項４に記載の発明によれば、検波器から自動サンプルホールド装置にパルス波形の信号が入力されている間、自動サンプルホールド装置のＮ個のサンプルホールド回路が入力信号のパルス波をサンプルホールドする動作を繰り返し、出力回路が、Ｎ個のサンプルホールド回路がそれぞれホールドした信号のレベルを選択して出力するとともに、入力信号の立ち下がり直前のクロックパルス発生時にホールド動作を行なったサンプルホールド回路の出力を入力信号の立ち下がり以後も出力し続けるようにしたので、入力信号のパルス幅が変化する場合でも、そのパルス幅の立ち下がり直前にホールド動作を行なったサンプルホールド回路の出力を出力させることができる。従って、検波器から自動サンプルホールド装置に入力される信号のパルス幅が変わる場合でもパルス波の正しい振幅を検出して、パルス変調高周波信号の出力レベルを一定に保つ制御を行なわせることができる。特に本発明では、切替え信号のサンプル指令時間の方がホールド指令時間より長いので、長いサンプル指令時間を利用して十分に立ち上がった電圧値をホールドすることができる。
【図面の簡単な説明】
【図１】  本発明に係る自動サンプルホールド装置の実施の形態の第１例を示したブロック図である。
【図２】  （Ａ）（Ｂ）は第１例のパルス波出力とクロックパルスとの関係を示す波形図である。
【図３】  本発明に係る自動サンプルホールド装置の実施の形態の第２例を示したブロック図である。
【図４】  （Ａ）〜（Ｆ）は第２例の動作を示す波形図である。
【図５】  本発明に係るパルス変調高周波信号発生装置の実施の形態の一例を示したブロック図である。
【符号の説明】
１  入力端子
２  基準電源
３  パルス幅検出回路
４  クロックパルス発生器
４Ａ  クロックパルス発生部
５  アンド回路
６  切替え信号発生回路
７Ａ〜７Ｎ  サンプルホールド回路
８  出力回路
９  高周波発振器
１０  入力端子
１１  パルス変調器
１２  電力増幅器
１３  方向性結合器
１４  検波器
１５  自動サンプルホールド装置
１６  比較増幅器
【図１】
0004754704.tif 000002
【図２】
0004754704.tif 000003
【図３】
0004754704.tif 000004
【図４】
0004754704.tif 000005
【図５】
0004754704.tif 000006